(57)【特許請求の範囲】
【請求項１】
戸枠内に複数の折れ戸が移動自在に配置され、折れ戸相互間の召し合わせ部における扉の反り若しくは戸枠と折れ戸との突き合わせ部における扉の反りを矯正部材を用いて矯正するようにした扉の矯正構造であって、前記矯正部材は、召し合わせ部又は突き合わせ部に取り付けられる取付面から平面視略Ｌ字状に突出した第１突起部と該第１突起部の上側又は下側に隣接して設けられた第１受け部とを備える第１矯正部材と、上記第１受け部に対向する第２突起部と第１突起部に対向する第２受け部とを備えると共に第２突起部を挟んで第２受け部とは反対側に第１突起部が嵌入可能な第２嵌入溝が設けられた第２矯正部材とで構成され、折れ戸相互間の召し合わせ部の一方の面に第１矯正部材、他方の面に第２矯正部材をそれぞれ取り付けて第１突起部と第２受け部とを対向させ且つ第１受け部と第２突起部とを対向させた第１の使用状態と、第２矯正部材を上下に反転して戸枠と折れ戸との突き合わせ部の一方の面に第１矯正部材、他方の面に第２矯正部材をそれぞれ取り付けて第２矯正部材の第２嵌入溝と第１矯正部材の第１突起部とを対向させた第２の使用状態とを選択可能としたことを特徴とする扉の矯正構造。
【請求項２】
前記第１矯正部材に、第１突起部を挟んで第１受け部とは反対側に第１嵌入溝を設けることで、第１矯正部材と第２矯正部材とを同一構造としたことを特徴とする請求項１記載の扉の矯正構造。
【発明の詳細な説明】
【０００１】
【発明の属する技術分野】
本発明は、扉の矯正構造に関し、詳しくは戸枠内に複数の折れ戸がレールに沿って移動自在に配置され、折れ戸相互間の召し合わせ部における扉の反り、若しくは戸枠と折れ戸との突き合わせ部における扉の反りを矯正するための矯正部材を備えた扉の矯正構造に関するものである。
【０００２】
【従来の技術】
一般に折れ戸は、施工後の経時変化で扉に凹状或いは凸状の反りやねじれが発生し易く、例えば複数の折れ戸を移動自在に配置した構造においては、折れ戸相互間の召し合わせ部（特にレールにガイドされるランナーから離れた場所）において扉同士を突き合わせることができなくなり、密閉性や外観性が低下するという問題がある。
【０００３】
そこで、従来、折れ戸相互間の召し合わせ部に一対の矯正部材を取り付け、扉の反りが発生しても矯正部材同士の当接によって扉の反りを矯正できるようにした扉の矯正構造が知られている（例えば特許文献１参照）。
【０００４】
【特許文献１】
特開平１０−２１６２号公報
【０００５】
【発明が解決しようとする課題】
しかしながら、従来の矯正部材にあっては、折れ戸相互間の召し合わせ部において扉の反りを矯正する機能しかなく、戸枠と折れ戸との突き合わせ部において扉の反りを矯正する機能は有していない。つまり、従来の矯正部材は同一平面内で互いに当たり合って扉の反りを矯正するものであるため、戸枠と折れ戸との突き合わせ部のように互いに垂直な面には使用できない。このため従来では、戸枠と折れ戸との突き合わせ部には専用の矯正部材を別途作製する必要があり、矯正部材の種類が増加してコストアップを招くだけでなく、現場での矯正部材の取り付け作業に手間がかかる等の問題がある。
【０００６】
本発明は、上記の従来例の問題点に鑑みて発明したものであって、その目的とするところは、折れ戸相互間の召し合わせ部の扉の反りを矯正する矯正部材に、戸枠と折れ戸との突き合わせ部の扉の反りを矯正する機能を持たせた扉の矯正構造を提供することにあり、他の目的とするところは、矯正部材の種類を削減できる扉の矯正構造を提供することにある。
【０００７】
【課題を解決するための手段】
上記課題を解決するために本発明にあっては、戸枠１内に複数の折れ戸２が移動自在に配置され、折れ戸２相互間の召し合わせ部３における扉の反り若しくは戸枠１と折れ戸２との突き合わせ部４における扉の反りを矯正部材を用いて矯正するようにした扉の矯正構造であって、前記矯正部材は、召し合わせ部３又は突き合わせ部４に取り付けられる取付面５から平面視略Ｌ字状に突出した第１突起部６と該第１突起部６の上側又は下側に隣接して設けられた第１受け部７とを備える第１矯正部材Ａと、上記第１受け部７に対向する第２突起部８と第１突起部６に対向する第２受け部９とを備えると共に第２突起部８を挟んで第２受け部９とは反対側に第１突起部６が嵌入可能な第２嵌入溝１１が設けられた第２矯正部材Ｂとで構成され、折れ戸２相互間の召し合わせ部４の一方の面に第１矯正部材Ａ、他方の面に第２矯正部材Ｂをそれぞれ取り付けて第１突起部６と第２受け部９とを対向させ且つ第１受け部７と第２突起部８とを対向させた第１の使用状態と、第２矯正部材Ｂを上下に反転して戸枠１と折れ戸２との突き合わせ部４の一方の面に第１矯正部材Ａ、他方の面に第２矯正部材Ｂをそれぞれ取り付けて第２矯正部材Ｂの第２嵌入溝１１と第１矯正部材Ａの第１突起部６とを対向させた第２の使用状態とを選択可能とすることを特徴としており、このように構成することで、第１の使用状態で折れ戸２を閉じた状態で互いに突き当てたときは、第１突起部６が第１受け部７に当接し且つ第２突起部８が第２受け部９に当接することで、同一平面内で第１矯正部材Ａと第２矯正部材Ｂとが互いに当たり合って扉の反りが矯正される。一方、第２矯正部材Ｂを上下に反転して戸枠１と折れ戸２との突き合わせ部４に取り付ける第２の使用状態にあっては、戸枠１に折れ戸２の扉を突き当てたときは、第１突起部６が第２嵌入溝１１に嵌入されることで、垂直な面内で第１矯正部材Ａと第２矯正部材Ｂとが互いに嵌め合わされて扉の反りが矯正される。従って、共通の第１矯正部材Ａ及び第２矯正部材Ｂに対して、それぞれ、召し合わせ部３と突き合わせ部４の両方の外観上の納まりを良好にする機能を持たせることができる。
【０００８】
また前記第１矯正部材Ａに、第１突起部６を挟んで第１受け部７とは反対側に第１嵌入溝１０を設けることで、第１矯正部材Ａと第２矯正部材Ｂとを同一構造とするのが好ましく、この場合、１種類の矯正部材に第１矯正部材Ａとしての機能と第２矯正部材Ｂとしての機能とを持たせることができる。
【０００９】
【発明の実施の形態】
以下、本発明を添付図面に示す実施形態に基づいて説明する。
【００１０】
図１は戸枠１内に複数の折れ戸２が移動自在に配置された場合の斜視図、図２は折れ戸２を構成する扉の反りを矯正するための矯正部材の説明図である。なお図１中のＥは出入り方向、Ｆは折れ戸２の移動方向である。
【００１１】
戸枠１は、図１に示すように、上枠１ａと左右の縦枠１ｂ，１ｂとで構成されている。本例の折れ戸２は、図３に示すように、折れ戸２相互間の召し合わせ部３の上下両端部に設けたランナー１２が上下のレール１３に沿って回転自在に且つ走行自在に支持されている。なお、折れ戸２の扉２ａ，２ｂ同士は蝶番１４を介して回動自在に連結されている。
【００１２】
矯正部材は、例えば合成樹脂からなり、図２に示す１種類の矯正部材が、第１矯正部材Ａとしての機能と第２矯正部材Ｂとしての機能とを併せ持っている。
【００１３】
図４を参照して、第１矯正部材Ａとしての機能と第２矯正部材Ｂとしての機能とを順に説明する。第１矯正部材Ａには、背面の取付面５から平面視略Ｌ字状に突出した第１突起部６と、該第１突起部６の上側に隣接して設けられた第１受け部７とを備えている。取付面５には複数のビス孔５ａ（図２）が開口しており、戸枠１の内側面１ｃ或いは扉の裏面２ｃに対してビス固定されるようになっている。また本例では、第１突起部６の下側には第１嵌入溝１０が設けられている。この第１嵌入溝１０は後述の第２嵌入溝１１と同じ機能を有するものである。なおこの第１嵌入溝１０は省略可能である。
【００１４】
第２矯正部材Ｂは、上記第１受け部７に対向する第２突起部８と第１突起部６に対向する第２受け部９とを備えると共に第２突起部８を挟んで第２受け部９とは反対側に第１突起部６が嵌入可能な第２嵌入溝１１が設けられている。第２嵌入溝１１は、第２突起部８から突出した互いに平行な内側突片１６と外側突片１７とで構成されており、図２に示すように、内側突片１６と外側突片１７の対向面にはそれぞれ扉の裏面２ｃと平行となる矯正面１６ａ、１７ａがそれぞれ形成されている。
【００１５】
そして、図３〜図５に示すように、折れ戸２相互間の召し合わせ部３の一方の扉の裏面２ｃに第１矯正部材Ａ、他方の扉の裏面２ｃに第２矯正部材Ｂをそれぞれ取り付けて、第１突起部６と第２受け部９とを対向させ且つ第１受け部７と第２突起部８とを対向させた第１の使用状態と、図６、図７に示すように、第２矯正部材Ｂを上下に反転して、戸枠１と折れ戸２との突き合わせ部４のうち、扉の戸当たり側の裏面２ｃに第１矯正部材Ａ、戸枠１の内側面１ｃに第２矯正部材Ｂをそれぞれ取り付けて、第２矯正部材Ｂの第２嵌入溝１１と第１矯正部材Ａの第１突起部６とを対向させた第２の使用状態とが選択可能となっている。
【００１６】
ここで、前記第１受け部７と第２突起部８との対向面、第１突起部６と第２受け部９との対向面には、扉の裏面２ｃと平行となる矯正面１５ａ〜１５ｄがそれぞれ形成されている。本例では、各矯正面１５ａ〜１５ｄ以外の各対向面にはそれぞれ弧面状に滑らかに湾曲したガイド面１５ｅ〜１５ｊが設けられており、これにより第１の使用状態では第１突起部６は回転しながら第１受け部７に当接可能となり、第２突起部８は回転しながら第２受け部９に当接可能となっている。さらに、第２嵌入溝１１の内側突片１６の矯正面１６ａ以外の対向面には弧面状に滑らかに湾曲したガイド面１６ｂが設けられており、これにより第２の使用状態では第１突起部６は回転しながら第２嵌入溝１１に嵌入可能となっている。
【００１７】
なお、図２を参照して第１矯正部材Ａ（第２矯正部材Ｂも同様）の寸法の一例を挙げると、第１突起部６の厚みＧは３５ｍｍ、突出幅Ｈは４４ｍｍ、ガイド面１５ｅ（１５ｇ）の曲率Ｒ２は２０ｍｍ、ガイド面１５ｆ（１５ｉ）の曲率Ｒ３は３５ｍｍとされる。第１受け部７の厚みＧ１は１４ｍｍ、幅Ｈ１は２０ｍｍ、曲率Ｒ１は２０ｍｍとされる。第１嵌入溝１０の幅Ｈ２は２０ｍｍ、内側突片１６の曲率Ｒ４は２０ｍｍとされるが、もちろん、これらの数値に限定されるものではない。
【００１８】
しかして、第１及び第２矯正部材Ａ，Ｂを折れ戸２相互間の召し合わせ部３に取り付ける第１の使用状態にあっては、図５（ａ）に示すように、隣接する一方の折れ戸２と他方の折れ戸２の一方或いは両方を回転させながら互いに突き当てたとき、或いは回転させずに突き当てたときは、いずれも、ガイド面１５ｅ，１５ｊ；１５ｇ，１５ｈに沿って第１突起部６の矯正面１５ａと第２受け部９のガイド面１５ｂとが当接し且つ第２突起部８の矯正面１５ｈと第１受け部７の矯正面１５ｂとが当接することによって図５（ｂ）に示すように、同一平面内で第１矯正部材Ａと第２矯正部材Ｂとが互いに当たり合って扉の反りが矯正されるようになり、結果、折れ戸２相互間の召し合わせ部３で扉同士の反りの矯正や散りの調整等ができるようになり、扉同士をすっきり合致させることができ、外観上の納まりが良好となる。
【００１９】
一方、第２矯正部材Ｂを上下に反転して戸枠１と折れ戸２との突き合わせ部４に取り付ける第２の使用状態にあっては、図７（ａ）（ｂ）に示すように、戸枠１側の折れ戸２を回転（ランナー１２を回転中心として一点鎖線Ｍで示す円軌道に沿って回転）させながら戸枠１に突き当てたとき、或いは回転させずに突き当てたときは、いずれも、ガイド面１５ｅ，１６ａに沿って第１突起部６が回転しながら第２嵌入溝１１に嵌入され、第１突起部６の矯正面１６ａと内側突片１６の矯正面１６ａとが当接し且つ第１突起部６の外側のガイド面１５ｆと外側突片１７の矯正面１７ａとが当接した状態（図７（ｃ）の状態）となることによって、第１矯正部材Ａと第２矯正部材Ｂとが互いに嵌め合わされて扉の反りが矯正されるようになり、結果、戸枠１に対する扉の反りの矯正や散りの調整等ができるようになり、戸枠１に対して扉をすっきり合致させることができ、外観上の納まりが良好となる。
【００２０】
このように１種類の矯正部材Ａ，Ｂを用いて、召し合わせ部３による使用状態と突き合わせ部４による使用状態とを選択できるので、従来のように戸枠１と折れ戸２との突き合わせ部４において専用の矯正部材を別途作製する必要がなくなり、矯正部材の種類の増加を防止でき、コストアップを防止できるといった効果もある。
【００２１】
さらに本例では第１矯正部材Ａに、第１突起部６を挟んで第１受け部７とは反対側に第１嵌入溝１０を設け、第１矯正部材Ａを上下に反転させることで第１嵌入溝１０に対して第２矯正部材Ｂの第２突起部８を嵌入可能としたので、第１矯正部材Ａと第２矯正部材Ｂとが同一構造となる。つまり、１種類の矯正部材に第１矯正部材Ａとしての機能と第２矯正部材Ｂとしての機能とを持たせることができるので、矯正部材のコスト削減を図ると共に部品管理の手間を省くことができ、そのうえ施工現場では一対の矯正部材の一方を第１矯正部材Ａとし、他方を第２矯正部材Ｂとして使用できるので、取り扱いが容易となり、作業性を一層向上させることができる。
【００２２】
【発明の効果】
上述のように請求項１記載の発明にあっては、戸枠内に複数の折れ戸が移動自在に配置され、折れ戸相互間の召し合わせ部における扉の反り若しくは戸枠と折れ戸との突き合わせ部における扉の反りを矯正部材を用いて矯正するようにした扉の矯正構造であって、前記矯正部材は、召し合わせ部又は突き合わせ部に取り付けられる取付面から平面視略Ｌ字状に突出した第１突起部と該第１突起部の上側又は下側に隣接して設けられた第１受け部とを備える第１矯正部材と、上記第１受け部に対向する第２突起部と第１突起部に対向する第２受け部とを備えると共に第２突起部を挟んで第２受け部とは反対側に第１突起部が嵌入可能な第２嵌入溝が設けられた第２矯正部材とで構成され、折れ戸相互間の召し合わせ部の一方の面に第１矯正部材、他方の面に第２矯正部材をそれぞれ取り付けて第１突起部と第２受け部とを対向させ且つ第１受け部と第２突起部とを対向させた第１の使用状態と、第２矯正部材を上下に反転して戸枠と折れ戸との突き合わせ部の一方の面に第１矯正部材、他方の面に第２矯正部材をそれぞれ取り付けて第２矯正部材の第２嵌入溝と第１矯正部材の第１突起部とを対向させた第２の使用状態とを選択可能としたので、第１の使用状態では折れ戸を閉じた状態で互いに突き当てたときは、第１突起部が第１受け部に当接し且つ第２突起部が第２受け部に当接することで、同一平面内で第１矯正部材と第２矯正部材とが互いに当たり合って扉の反りが矯正される。一方、第２矯正部材を上下に反転して戸枠と折れ戸の突き合わせ部に取り付けた第２の使用状態では、折れ戸を戸枠に突き合わせたときは、第１突起部が第２嵌入溝に嵌入されることで、垂直な面内で第１矯正部材と第２矯正部材とが互いに嵌め合わされて扉の反りが矯正される。この結果、第１の使用状態で折れ戸相互間の召し合わせ部で扉同士をすっきり合致させることができ、第２の使用状態で戸枠に対して扉をすっきり合致させることができ、共通の第１矯正部材及び第２矯正部材に対して、それぞれ、召し合わせ部と突き合わせ部の両方の外観上の納まりを良好にする機能を持たせることができる。
【００２３】
また請求項２記載の発明は、請求項１記載の効果に加えて、前記第１矯正部材に、第１突起部を挟んで第１受け部とは反対側に第１嵌入溝を設けることで、第１矯正部材と第２矯正部材とを同一構造としたので、１種類の矯正部材に第１矯正部材としての機能と第２矯正部材としての機能とを持たせることができる。従って、矯正部材のコスト削減を図ると共に部品管理の手間を省くことができ、そのうえ施工現場では一対の矯正部材の一方を第１矯正部材とし、他方を第２矯正部材として機能させることができるので、取り扱いが容易となり、作業性が一層向上する。
【図面の簡単な説明】
【図１】本発明の実施形態の一例を示す斜視図である。
【図２】同上の矯正部材を示し、（ａ）は正面図、（ｂ）は側面図、（ｃ）は平面図、（ｄ）は底面図である。
【図３】同上の第１矯正部材と第２矯正部材とを折れ戸相互間の召し合わせ部に取り付けた場合の説明図である。
【図４】図３の第１矯正部材と第２矯正部材の斜視図である。
【図５】（ａ）（ｂ）は図３の第１矯正部材と第２矯正部材との当接動作を説明する平面図である。
【図６】同上の第１矯正部材と第２矯正部材とを戸枠と折れ戸間の突き合わせ部に取り付けた場合の斜視図である。
【図７】（ａ）（ｂ）（ｃ）は図６の第１矯正部材と第２矯正部材との当接動作を説明する平面図である。
【符号の説明】
１  戸枠
２  折れ戸
３  召し合わせ部
４  突き合わせ部
５  取付面
６  第１突起部
７  第１受け部
８  第２突起部
９  第２受け部
１０  第１嵌入溝
１１  第２嵌入溝
Ａ  第１矯正部材
Ｂ  第２矯正部材
Ｄ  上下方向
【図１】
0003661687.tif 000002
【図２】
0003661687.tif 000003
【図３】
0003661687.tif 000004
【図４】
0003661687.tif 000005
【図５】
0003661687.tif 000006
【図６】
0003661687.tif 000007
【図７】
0003661687.tif 000008